(57)【要約】【課題】ダウンライト型の照明装置において、部品点数を抑えるとともに、ケーシングの内部空間を広く確保しつつ、ケーシングに対して本体部を、安定した姿勢でスライド移動させることができる構造を提供する。【解決手段】ケーシング１０自体にスリット１６を設け、スリット１６に沿って移動子３７をスライド移動させる。このため、ケーシング１０とは別に、移動子３７を移動させるためのレールを設ける必要がない。したがって、照明装置１の部品点数を低減できるとともに、ケーシング１０の内部空間を広く確保することができる。また、移動子３７は、スリット１６の周縁を挟み込む一対の板状部材と、スリット１６を貫通して一対の板状部材同士を固定する固定部材と、を有する。これにより、ケーシング１０に対する移動子３７の接触面積が増加する。その結果、スライド移動時の移動子３７の姿勢を安定させることができる。【選択図】図２
2018006135.tif 000002
【特許請求の範囲】
【請求項１】
略円筒状の側壁部を有するケーシングと、
光源を保持し、前記ケーシング内に少なくとも一部分が収容される本体部と、
を備え、
前記ケーシングは、
前記側壁部に形成されたスリット
を有し、
前記本体部は、
前記スリットに沿ってスライド移動する移動子
を有し、
前記移動子は、
前記側壁部における前記スリットの周縁を挟み込む一対の板状部材と、
前記スリットを貫通して前記一対の板状部材同士を固定する固定部材と、
を有し、
前記スリットに対する前記移動子のスライド移動によって、前記ケーシングに対する前記本体部の位置を変更可能である照明装置。
【請求項２】
請求項１に記載の照明装置であって、
前記一対の板状部材の少なくとも一方は、前記ケーシングよりも弾性率の小さい弾性部材である照明装置。
【請求項３】
請求項２に記載の照明装置であって、
前記ケーシングは、金属からなり、
前記弾性部材は、樹脂からなる照明装置。
【請求項４】
請求項１から請求項３までのいずれか１項に記載の照明装置であって、
前記固定部材は、前記一対の板状部材を互いに接近する方向へ締め付けるねじである照明装置。
【請求項５】
請求項１から請求項４までのいずれか１項に記載の照明装置であって、
前記側壁部は、
前記一対の板状部材に当接される第１側壁部と、
前記一対の板状部材に当接されない第２側壁部と
を有し、
前記第１側壁部の曲率は、前記第２側壁部の曲率よりも小さい照明装置。
【請求項６】
請求項５に記載の照明装置であって、
前記第１側壁部の外側面は、前記第２側壁部の外側面よりも、凹んでいる照明装置。
【請求項７】
請求項１から請求項６までのいずれか１項に記載の照明装置であって、
前記ケーシングは、２本の前記スリットを有し、
前記本体部は、前記スリットごとに前記移動子を有する照明装置。
【請求項８】
請求項１から請求項７までのいずれか１項に記載の照明装置であって、
前記スリットは、前記側壁部の中心軸に対して平行である照明装置。
【請求項９】
請求項１から請求項８までのいずれか１項に記載の照明装置であって、
前記本体部は、
その全体または大部分が前記ケーシングの内部に収容される収容位置と、
その大部分が前記ケーシングの開口よりも外側へ露出する露出位置と、
の間で移動可能である照明装置。
【請求項１０】
請求項９に記載の照明装置であって、
前記本体部とともに移動する遮蔽板
をさらに有し、
前記露出位置において、前記開口と前記スリットとの間に、前記遮蔽板が配置される照明装置。
【請求項１１】
請求項１から請求項１０までのいずれか１項に記載の照明装置であって、
前記本体部は、
前記ケーシングの内側に少なくとも一部分が配置されるヒートシンク
をさらに有する照明装置。
【発明の詳細な説明】
【技術分野】
【０００１】
本発明は、照明装置に関する。
【背景技術】
【０００２】
従来、天井に設けられた孔に嵌め込まれて使用される、いわゆるダウンライト型の照明装置が知られている。従来のダウンライト型の照明装置については、例えば、特許文献１に記載されている。特許文献１の照明装置は、天井に嵌め込まれるケーシング（本体ケース）に対して、灯具が昇降移動可能となっている。したがって、特許文献１の照明装置は、灯具をケーシング内に収容した状態で使用したり、あるいは、灯具を天井よりも下方へ引き出して使用したりすることができる。
【先行技術文献】
【特許文献】
【０００３】
【特許文献１】特開平１０−１８８６５４号公報
【発明の概要】
【発明が解決しようとする課題】
【０００４】
しかしながら、特許文献１の照明装置では、天井に嵌め込まれるケーシング（本体ケース）の内周面に、ケーシングとは別部材である一対のガイドレールが、ビスにより固定されている。そして、そのガイドレールに対してスライダのヘッド部を摺動させることで、灯具を昇降移動させている。
【０００５】
このような構造では、ケーシングとは別にガイドレールが必要であるため、照明装置の部品点数が増加する。また、ケーシングの内部空間が、ガイドレールによって狭められる。これらの欠点を克服するため、別部材のガイドレールを設けることなく、灯具を昇降移動させることができる構造が求められている。また、灯具による光の照射方向にばらつきが生じないように、ケーシングに対して灯具を安定した姿勢で昇降移動させたいという要求もある。
【０００６】
本発明は、このような事情に鑑みなされたものであり、ダウンライト型の照明装置において、部品点数を抑えるとともに、ケーシングの内部空間を広く確保しつつ、ケーシングに対して本体部を、安定した姿勢でスライド移動させることができる構造を提供することを目的とする。
【課題を解決するための手段】
【０００７】
上記課題を解決するため、本願発明は、照明装置であって、略円筒状の側壁部を有するケーシングと、光源を保持し、前記ケーシング内に少なくとも一部分が収容される本体部と、を備え、前記ケーシングは、前記側壁部に形成されたスリットを有し、前記本体部は、前記スリットに沿ってスライド移動する移動子を有し、前記移動子は、前記側壁部における前記スリットの周縁を挟み込む一対の板状部材と、前記スリットを貫通して前記一対の板状部材同士を固定する固定部材と、を有し、前記スリットに対する前記移動子のスライド移動によって、前記ケーシングに対する前記本体部の位置を変更可能である。
【発明の効果】
【０００８】
本願発明によれば、ケーシング自体にスリットを設け、スリットに沿って移動子をスライド移動させる。このため、ケーシングとは別に、移動子を移動させるためのレールを設ける必要がない。したがって、照明装置の部品点数を低減できるとともに、ケーシングの内部空間を広く確保することができる。
【０００９】
特に、本発明の移動子は、スリットの周縁を挟み込む一対の板状部材と、スリットを貫通して一対の板状部材同士を固定する固定部材と、を有する。これにより、ケーシングに対する移動子の接触面積が増加する。その結果、スライド移動時の移動子の姿勢を安定させることができる。
【図面の簡単な説明】
【００１０】
【図１】照明装置の斜視図である。
【図２】照明装置の斜視図である。
【図３】照明装置の側面図である。
【図４】照明装置の側面図である。
【図５】照明装置の縦断面図である。
【図６】照明装置の縦断面図である。
【図７】移動子付近の縦断面図である。
【図８】移動子付近の横断面図である。
【発明を実施するための形態】
【００１１】
以下、本発明の好適な実施形態について、図面を参照しつつ説明する。
【００１２】
＜１．照明装置の全体構成＞
図１および図２は、本発明の一実施形態に係る照明装置１の斜視図である。図３および図４は、照明装置１の側面図である。図５および図６は、照明装置１の縦断面図である。この照明装置１は、例えば天井に設けられた孔に嵌め込まれて下方へ光を照射する、いわゆるダウンライト型の照明装置である。図１〜図６に示すように、照明装置１は、ケーシング１０と、３本の取付ばね２０と、本体部３０と、通電ケーブル４０と、を有する。なお、図２〜図４では、通電ケーブル４０の図示が省略されている。
【００１３】
ケーシング１０は、略円筒状の側壁部１１と、環状板部１２と、枠部１３とを有する。環状板部１２は、側壁部１１の一端から内側へ向けて突出する。枠部１３は、側壁部１１の他端から外側へ向けて突出する。ケーシング１０は、枠部１３の内側に開口１４を有する。図５および図６に示すように、照明装置１の使用時には、天井板９０に設けられた孔９１に、環状板部１２が上、枠部１３および開口１４が下となる姿勢で、ケーシング１０が嵌め込まれる。
【００１４】
ケーシング１０は、例えば、鉄、ステンレス、アルミニウムなどの金属により、一体に形成される。ただし、ケーシング１０は、樹脂などの他の材料により形成されていてもよい。また、ケーシング１０は、複数の部材により形成されていてもよい。
【００１５】
３本の取付ばね２０は、ケーシング１０を天井に固定するための板ばねである。３本の取付ばね２０は、ケーシング１０の周囲に等角度間隔で設けられる。各取付ばね２０の内側の端部は、側壁部１１と枠部１３との境目付近に固定される。図５および図６に示すように、照明装置１の使用時には、各取付ばね２０が、天井板９０の上面に弾性接触する。そして、枠部１３と取付ばね２０との間に、天井板９０が挟まれる。これにより、天井板９０に対してケーシング１０が固定される。
【００１６】
なお、照明装置１に設けられる取付ばね２０の数は、天井板９０に対するケーシング１０の固定強度を、十分に得ることができる数であればよい。例えば、取付ばね２０の数は、２本や４本であってもよい。
【００１７】
本体部３０は、ＬＥＤモジュール３１を保持するユニットである。本体部３０は、少なくとも一部分がケーシング１０内に収容されるとともに、ケーシング１０に対して、相対移動可能に取り付けられている。図１〜図６に示すように、本体部３０は、ＬＥＤモジュール３１、ヒートシンク３２、透光板３３、首振りホルダ３４、回転ホルダ３５、遮蔽板３６、および一対の移動子３７を有する。
【００１８】
ＬＥＤモジュール３１は、光源であるＬＥＤ素子３１１と、ＬＥＤ素子３１１を発光駆動させる回路基板３１２とを有する。回路基板３１２は、ベース板３１３に固定されている。ＬＥＤ素子３１１は、回路基板３１２のベース板３１３とは反対側の面に実装されている。回路基板３１２は、通電ケーブル４０から得られる電力を用いて、ＬＥＤ素子３１１に駆動電流を供給する。ＬＥＤ素子３１１は、回路基板３１２から供給される駆動電流に基づいて発光する。
【００１９】
ヒートシンク３２は、ＬＥＤモジュール３１から生じた熱を、外部へ放出するための放熱部材である。ヒートシンク３２は、例えば、熱伝導率の高いアルミニウム等の金属により形成されている。ヒートシンク３２とベース板３１３とは、互いに面接触した状態で、ねじにより固定されている。また、ヒートシンク３２は、広い表面積を確保するために、複数の板状のフィンを有する。ＬＥＤモジュール３１から生じた熱は、ベース板３１３およびヒートシンク３２へ伝導し、複数のフィンの表面から空気中に放出される。これにより、ＬＥＤモジュール３１の過度な昇温が抑制される。
【００２０】
透光板３３は、アクリル樹脂、ポリカーボネートなどの光透過性の高い材料により形成された、板状の部材である。透光板３３は、ＬＥＤモジュール３１の複数のＬＥＤ素子３１１と対向する位置に配置される。透光板３３とベース板３１３とは、円筒状のブラケット３３１を介して接続されている。すなわち、ＬＥＤモジュール３１は、ベース板３１３、ブラケット３３１、および透光板３３により形成される筐体の内部空間に配置される。これにより、ＬＥＤモジュール３１への粉塵の付着が防止される。ＬＥＤ素子３１１から発せられた光は、透光板３３を介して外部へ照射される。なお、透光板３３は、光を単に透過するだけではなく、所望の配光が得られるように、光を拡散または集光させる機能を有していてもよい。図５および図６の例では、透光板３３にフレネルレンズが採用されている。
【００２１】
首振りホルダ３４は、ＬＥＤモジュール３１、ヒートシンク３２、および透光板３３を保持する部材である。首振りホルダ３４は、ＬＥＤモジュール３１、ベース板３１３、ブラケット３３１、および透光板３３の周囲の少なくとも一部分を覆う。また、ヒートシンク３２は、首振りホルダ３４に対して、例えばねじにより固定される。これにより、ＬＥＤモジュール３１、ベース板３１３、ヒートシンク３２、ブラケット３３１、および透光板３３の、首振りホルダ３４に対する位置が固定される。
【００２２】
回転ホルダ３５は、ヒートシンク３２に固定される略Ｕ字状の部材である。首振りホルダ３４と回転ホルダ３５とは、一対のねじ３４１によって接続されている。照明装置１の使用時には、回転ホルダ３５に対して首振りホルダ３４を、略水平に配置された一対のねじ３４１を中心として回動させることができる。首振りホルダ３４を回動させると、首振りホルダ３４とともに、ＬＥＤモジュール３１、ベース板３１３、ヒートシンク３２、ブラケット３３１、および透光板３３も、一対のねじ３４１を中心として回動する。
【００２３】
遮蔽板３６は、ケーシング１０の環状板部１２と回転ホルダ３５との間に配置される板状の部材である。回転ホルダ３５と遮蔽板３６とは、ケーシング１０の中心軸（円筒状の側壁部１１の中心軸）９を中心として、相対回転可能に接続されている。遮蔽板３６に対して回転ホルダ３５を回転させると、回転ホルダ３５とともに、首振りホルダ３４、ヒートシンク３２、ベース板３１３、ＬＥＤモジュール３１、ブラケット３３１、および透光板３３も、中心軸９を中心として回転する。
【００２４】
通電ケーブル４０は、ＬＥＤモジュール３１に電力を供給するためのケーブルである。通電ケーブル４０は、環状板部１２、遮蔽板３６、および回転ホルダ３５の各々の中央に設けられた貫通孔に挿通されている。通電ケーブル４０の一端は、ＬＥＤモジュール３１の回路基板３１２に接続される。また、通電ケーブル４０の他端には、プラグ４１が設けられている。照明装置１の使用時には、プラグ４１が電源（図示省略）に接続されて、ＬＥＤモジュール３１に、発光のための電力が供給される。
【００２５】
＜２．本体部の昇降移動について＞
この照明装置１は、ケーシング１０に対して、本体部３０を昇降移動させるための構造を有する。以下では、当該構造について、詳細に説明する。
【００２６】
図７は、移動子３７付近の部分縦断面図である。図８は、移動子３７付近の部分横断面図である。図１〜図８に示すように、ケーシング１０の側壁部１１には、一対の平坦部１５が設けられている。一対の平坦部１５は、中心軸９に対して、互いに反対側に位置する。また、各平坦部１５は、側壁部１１の周方向の一部において、中心軸９と平行な長尺板状に加工されている。平坦部１５の外側面および内側面は、いずれも平坦な面となっている。また、ケーシング１０は、一対の平坦部１５のそれぞれに形成されたスリット１６を有する。各スリット１６は、平坦部１５を径方向（中心軸９に対する径方向）に貫通し、かつ、中心軸９に対して平行に形成された細孔である。
【００２７】
一方、本体部３０は、スリット１６に沿ってスライド移動する一対の移動子３７を有する。図７および図８に示すように、移動子３７は、外側板状部材５１、内側板状部材５２、および固定部材としてのねじ５３を有する。
【００２８】
外側板状部材５１は、平坦部１５の外側に位置する平板状の部材である。外側板状部材５１の内側の面と、平坦部１５の外側の面とは、互いに面接触する。内側板状部材５２は、平坦部１５の内側に位置する平板状の部材である。内側板状部材５２の外側の面と、平坦部１５の内側の面とは、互いに面接触する。すなわち、外側板状部材５１および内側板状部材５２は、平坦部１５の一部分を、径方向に挟み込む。
【００２９】
ねじ５３は、外側板状部材５１に設けられた貫通孔、スリット１６、および内側板状部材５２に設けられた貫通孔に挿入されるとともに、遮蔽板３６の端部３６２にスリット１６に対向して設けられたねじ孔３６１に螺合される。なお、図５〜図８では、ねじ５３のねじ山の図示を省略している。外側板状部材５１は、ねじ５３の頭部５３１と、ケーシング１０の平坦部１５との間に、挟まれる。また、内側板状部材５２は、遮蔽板３６の端部３６２と、ケーシング１０の平坦部１５との間に、挟まれる。このため、遮蔽板３６のねじ孔３６１に対してねじ５３を締結すると、外側板状部材５１と内側板状部材５２とが、互いに接近する方向へ締め付けられる。
【００３０】
一対の移動子３７は、それぞれ、スリット１６に沿ってスライド移動可能である。一対の移動子３７がスライド移動すると、ケーシング１０に対する本体部３０の位置も、中心軸９に沿って移動する。具体的には、本体部３０は、その全体または大部分がケーシング１０の内部に収容される収容位置（図１、図３、図５の位置）と、その大部分がケーシング１０の開口１４よりも外側へ露出する露出位置（図２、図４、図６の位置）との間で移動することができる。
【００３１】
このように、この照明装置１では、ケーシング１０自体にスリット１６が設けられ、スリット１６に沿って移動子３７がスライド移動可能となっている。このため、ケーシング１０とは別に、移動子３７をスライド移動させるためのレールを設ける必要がない。このようにすれば、照明装置１の部品点数を低減できるとともに、ケーシング１０の内部空間を広く確保することができる。
【００３２】
また、この照明装置１では、円筒状の側壁部１１に単にスリット１６を形成するのではなく、側壁部１１に設けられた平坦部１５に、スリット１６が形成されている。そして、移動子３７の外側板状部材５１および内側板状部材５２が、平坦部１５を挟み込んでいる。これにより、ケーシング１０に対する移動子３７の接触面積が増加する。したがって、ケーシング１０と移動子３７との間の摩擦力が増加し、ケーシング１０に対する移動子３７のがたつきが抑制される。その結果、スライド移動時の移動子３７の姿勢を安定させることができる。
【００３３】
平坦部１５と移動子３７との間の摩擦力は、上述したねじ５３の締め付け力によって、調節可能である。したがって、ねじ５３を適度に締め付ければ、ケーシング１０に対して本体部３０を、収容位置と露出位置との間の任意の位置で静止させることができる。
【００３４】
特に、この照明装置１では、外側板状部材５１が、ナイロン（登録商標）等の樹脂からなる。このように、外側板状部材５１に、ケーシング１０よりも弾性率の小さい弾性部材を用いれば、平坦部１５に対して外側板状部材５１を、より密着させることができる。これにより、スライド移動時の移動子３７の姿勢を、より安定させることができる。特に、弾性部材としてナイロン（登録商標）を用いれば、ケーシング１０に対する移動のしやすさと、移動後の位置の安定性とを両立しやすい点で、好ましい。
【００３５】
なお、外側板状部材５１に代えて、内側板状部材５２に、弾性部材を用いてもよい。また、外側板状部材５１および内側板状部材５２の双方に、弾性部材を用いてもよい。また、弾性部材は、樹脂以外の弾性を有する部材であってもよい。例えば、弾性部材は、ばね様の形状を有する金属部材であってもよい。
【００３６】
また、図８に示すように、平坦部１５の外側面は、側壁部１１の平坦部１５以外の部分の外側面よりも、中心軸９側（径方向内側）へ向けて凹んでいる。そして、外側板状部材５１の少なくとも一部分は、当該凹みに収容されている。このようにすれば、外側板状部材５１や、ねじ５３の頭部５３１のうち、側壁部１１の外側面よりも外側へ突出する部分の寸法を、抑制できる。したがって、照明装置１の外形寸法を抑えることができる。
【００３７】
また、この照明装置１は、図４中の二点鎖線のように、本体部３０を露出位置に配置し、かつ、首振りホルダ３４を中心軸９に対して傾斜させて使用することもできる。この場合、ケーシング１０と本体部３０との間に、隙間が生じる。したがって、もし、遮蔽板３６が無ければ、照明装置１の下方から、スリット１６を介して天井裏（天井板９０の上方の空間）が見えてしまう。しかしながら、この照明装置１では、本体部３０が露出位置に配置されたときに、ケーシング１０の開口１４とスリット１６との間に、遮蔽板３６が配置される。したがって、スリット１６を介して天井裏が見えることを防止できる。
【００３８】
また、この照明装置１では、ヒートシンク３２の少なくとも一部分が、ケーシング１０の内側に配置される。特に、本体部３０が収容位置に配置されたときには、ヒートシンク３２の全体が、ケーシング１０の内側に配置される。このため、ケーシング１０の側壁部１１には、複数の通気孔１７が形成されている。ケーシング１０の内外の空気は、複数の通気孔１７を介して流動する。これにより、ヒートシンク３２における熱交換が、効率よく行われる。また、この照明装置１では、ケーシング１０の内部空間と外部空間との間で、通気孔１７だけではなく、スリット１６を介した空気の流動も生じる。したがって、スリット１６が無い場合よりも、ヒートシンク３２による熱交換を、より効率よく行うことができる。
【００３９】
＜３．変形例＞
以上、本発明の一実施形態について説明したが、本発明は、上記の実施形態に限定されるものではない。
【００４０】
上記の実施形態では、ケーシングの側壁部に平坦部が設けられ、当該平坦部にスリットが形成されていた。しかしながら、スリットの周囲は、必ずしも平坦でなくてもよい。例えば、スリットの周囲は、側壁部の他の部分よりも曲率が小さい（曲率半径が大きい）円弧状の面であってもよい。すなわち、ケーシングの側壁部は、外側板状部材および内側板状部材に当接される第１側壁部と、外側板状部材および内側板状部材に当接されない第２側壁部とを有し、第１側壁部の曲率が、第２側壁部の曲率よりも小さければよい。
【００４１】
また、上記の実施形態では、ケーシングに２本のスリットが設けられていた。しかしながら、ケーシングに設けられるスリットの数は、必ずしも２本には限られず、３本や４本であってもよい。すなわち、ケーシングは、互いに平行な複数のスリットを有していればよい。また、複数のスリットは、必ずしも中心軸９に平行である必要はない。例えば、ケーシング１０の側壁部１１を展開した平面において互いに平行な複数のスリットが、中心軸９に対して傾いて形成されていてもよい。スリットが中心軸９に対して傾いていれば、本体部がスリットに沿って露出位置に移動しようとする力を、傾斜角に応じて低減することができる。したがって、任意の位置で本体部の姿勢を安定させることが容易となる。このとき、収容位置と露出位置との間で昇降すると同時に本体部は中心軸９を中心に回転するが、回転ホルダを備えているため、任意の向きに光を照射することができる。本体部は、スリットごとに移動子を有していればよい。ただし、上記の実施形態のように、スリットの数を２本のみとすれば、スリットによるケーシングの強度低下を、最小限にとどめることができる点で好ましい。
【００４２】
また、複数のスリットは、中心軸の周囲に、等角度間隔で設けられていることが好ましい。そうすれば、本体部の姿勢を、より安定させることができる。ただし、複数のスリットの位置関係は、必ずしも完全に等角度間隔でなくてもよい。すなわち、隣り合うスリットの間隔は、多少不均一であってもよい。
【００４３】
また、上記の実施形態では、本体部の回転ホルダと移動子とを、遮蔽板によって接続していた。しかしながら、回転ホルダと移動子とを接続する部材と、遮蔽板とを、別個に設けてもよい。
【００４４】
また、上記の実施形態では、本体部が、回転ホルダと首振りホルダとを有していた。このため、照明装置の使用状況に応じて、ＬＥＤモジュールからの光の照射の向きを、多方向に変更することができた。しかしながら、本発明の照明装置の本体部は、このような回転自由度をもたず、移動子とともに直線的な移動のみを行うものであってもよい。
【００４５】
また、上記の実施形態では、光源としてＬＥＤ素子を用いていた。しかしながら、本発明の照明装置の光源は、ＬＥＤ素子に限らず、発光するものであればよい。例えば、ＬＥＤ素子に代えて、白熱電球や蛍光灯等の他の光源を用いてもよい。
【００４６】
また、各部材の細部の形状については、本願の各図に示された形状と、相違していてもよい。
【００４７】
また、上記の実施形態や変形例に登場した各要素を、矛盾が生じない範囲で、適宜に組み合わせてもよい。
【００４８】
＜４．発明の抽出＞
上記の実施形態および変形例から抽出される発明として、例えば、以下の発明を挙げることができる。
【００４９】
第１発明は、照明装置であって、略円筒状の側壁部を有するケーシングと、光源を保持し、前記ケーシング内に少なくとも一部分が収容される本体部と、を備え、前記ケーシングは、前記側壁部に形成されたスリットを有し、前記本体部は、前記スリットに沿ってスライド移動する移動子を有し、前記移動子は、前記側壁部における前記スリットの周縁を挟み込む一対の板状部材と、前記スリットを貫通して前記一対の板状部材同士を固定する固定部材と、を有し、前記スリットに対する前記移動子のスライド移動によって、前記ケーシングに対する前記本体部の位置を変更可能である。
【００５０】
第２発明は、第１発明の照明装置であって、前記一対の板状部材の少なくとも一方は、前記ケーシングよりも弾性率の小さい弾性部材である。
【００５１】
第３発明は、第２発明の照明装置であって、前記ケーシングは、金属からなり、前記弾性部材は、樹脂からなる。
【００５２】
第４発明は、第１発明から第３発明までのいずれか１発明の照明装置であって、前記固定部材は、前記一対の板状部材を互いに接近する方向へ締め付けるねじである。
【００５３】
第５発明は、第１発明から第４発明までのいずれか１発明の照明装置であって、前記側壁部は、前記一対の板状部材に当接される第１側壁部と、前記一対の板状部材に当接されない第２側壁部とを有し、前記第１側壁部の曲率は、前記第２側壁部の曲率よりも小さい。
【００５４】
第６発明は、第５発明の照明装置であって、前記第１側壁部の外側面は、前記第２側壁部の外側面よりも、凹んでいる。
【００５５】
第７発明は、第１発明から第６発明までのいずれか１発明の照明装置であって、前記ケーシングは、２本の前記スリットを有し、前記本体部は、前記スリットごとに前記移動子を有する。
【００５６】
第８発明は、第１発明から第７発明までのいずれか１発明の照明装置であって、前記スリットは、前記側壁部の中心軸に対して平行である。
【００５７】
第９発明は、第１発明から第８発明までのいずれか１発明の照明装置であって、前記本体部は、その全体または大部分が前記ケーシングの内部に収容される収容位置と、その大部分が前記ケーシングの開口よりも外側へ露出する露出位置と、の間で移動可能である。
【００５８】
第１０発明は、第９発明の照明装置であって、前記本体部とともに移動する遮蔽板をさらに有し、前記露出位置において、前記開口と前記スリットとの間に、前記遮蔽板が配置される。
【００５９】
第１１発明は、第１発明から第１０発明までのいずれか１発明の照明装置であって、前記本体部は、前記ケーシングの内側に少なくとも一部分が配置されるヒートシンクをさらに有する。
【００６０】
第１発明〜第１１発明によれば、ケーシング自体にスリットを設け、スリットに沿って移動子をスライド移動させる。このため、ケーシングとは別に、移動子を移動させるためのレールを設ける必要がない。したがって、照明装置の部品点数を低減できるとともに、ケーシングの内部空間を広く確保することができる。
【００６１】
また、第１発明〜第９発明の移動子は、スリットの周縁を挟み込む一対の板状部材と、スリットを貫通して一対の板状部材同士を固定する固定部材と、を有する。これにより、ケーシングに対する移動子の接触面積が増加する。その結果、スライド移動時の移動子の姿勢を安定させることができる。
【００６２】
特に、第２発明および第３発明によれば、ケーシングに対して弾性部材を密着させることができる。これにより、スライド移動時の移動子の姿勢を、より安定させることができる。
【００６３】
特に、第６発明によれば、側壁部の外側面から板状部材等が外側へ突出することを抑制できる。
【００６４】
特に、第７発明によれば、スリットの数を２本のみとすることで、スリットによるケーシングの強度低下を最小限にとどめることができる。
【００６５】
特に、第１０発明によれば、本体部が露出位置に配置されたときに、スリットを介して天井裏が見えることを防止できる。
【００６６】
特に、第１１発明によれば、ケーシングの内外の空気が、スリットを介して流動する。これにより、スリットが無い場合よりも、ヒートシンクによる熱交換が効率よく行われる。
【符号の説明】
【００６７】
１  照明装置
９  中心軸
１０  ケーシング
１１  側壁部
１２  環状板部
１３  枠部
１４  開口
１５  平坦部
１６  スリット
１７  通気孔
２０  取付ばね
３０  本体部
３１  ＬＥＤモジュール
３２  ヒートシンク
３３  透光板
３４  首振りホルダ
３５  回転ホルダ
３６  遮蔽板
３７  移動子
４０  通電ケーブル
５１  外側板状部材
５２  内側板状部材
５３  ねじ
３１１  ＬＥＤ素子
３１２  回路基板
３１３  ベース板
３３１  ブラケット
３４１  ねじ
３６１  ねじ孔
５３１  頭部
【図１】
2018006135.tif 000003
【図２】
2018006135.tif 000004
【図３】
2018006135.tif 000005
【図４】
2018006135.tif 000006
【図５】
2018006135.tif 000007
【図６】
2018006135.tif 000008
【図７】
2018006135.tif 000009
【図８】
2018006135.tif 000010